【手続補正書】
【提出日】令和3年1月25日(2021.1.25)
【手続補正１】
【補正対象書類名】特許請求の範囲
【補正対象項目名】全文
【補正方法】変更
【補正の内容】
【特許請求の範囲】
【請求項１】
第１のアダプタ壁を備えるアダプタと、
前記アダプタによって受入れ可能なハウジングを備え、孔を有するハウジング装置であって、前記ハウジング装置は、前端、前記前端と反対側の後端、及び第１のハウジング壁を更に備えて、前記第１のハウジング壁が前記アダプタ内に受け入れられ、前記第１のアダプタ壁の内側に位置する時、前記第１のアダプタ壁は、第１の方向を向いており、前記第１の方向と反対の第２の方向における前記第１のハウジング壁の移動が、前記第１のアダプタ壁によって制限されるようになっている、ハウジング装置と、
前記ハウジングの前記孔内に位置するフェルールであって、前記ハウジング装置の前記前端を超えて延在する対合端を有するフェルールと、
前記ハウジング装置の前記後端又は前記ハウジング装置の前記後端と向き合うように前記アダプタに取り付けられたセンサであって、前記センサは、前記ハウジング装置の前記後端によって加えられた力を検出するように構成され、前記センサの電気特性が変化し、これによって、所定の力が前記ハウジング装置に加えられたことを示すようになっている、センサと、を備えているコネクタアセンブリ。
【請求項２】
前記第１のハウジング壁が前記アダプタ内に受け入れられ、前記第１のアダプタ壁の内側に位置する時、前記第１のハウジング壁は、移動可能である、請求項１に記載のコネクタアセンブリ。
【請求項３】
前記アダプタは、前記第１のアダプタ壁と反対側の第２のアダプタ壁を備え、前記第１のハウジング壁が前記アダプタ内に受け入れられ、前記第１のアダプタ壁の内側に位置する時、前記第１のハウジング壁は、前記第１及び第２のアダプタ壁間に位置するようになっている、請求項１に記載のコネクタアセンブリ。
【請求項４】
前記ハウジング装置は、前記第１のハウジング壁と反対側の第２のハウジング壁を備え、前記第１のハウジング壁が前記アダプタ内に受け入れられ、前記第１のアダプタ壁の内側に位置する時、前記第１のハウジング壁は、前記第１のアダプタ壁に面し、それらの間に第１の距離を画定し、前記第２のハウジング壁は、前記第２のアダプタ壁に面し、それらの間に第２の距離を画定し、前記第１及び第２の距離の合計は、ゼロよりも大きいことを特徴とする、請求項３に記載のコネクタアセンブリ。
【請求項５】
前記第１の距離は、前記第１のハウジング壁のピーク及び前記第１のアダプタ壁のピークによって画定される第１の間隙であり、前記第２の距離は、前記第２のハウジング壁のピーク及び前記第２のアダプタ壁のピークによって画定される第２の間隙であり、前記第１及び第２の間隙の合計は、少なくとも０．１ｍｍである、請求項４に記載のコネクタアセンブリ。
【請求項６】
前記第１のハウジング壁は、ＬＣコネクタのレバーの段によって画定され、前記第１のアダプタ壁は、前記アダプタを貫通する孔の一部又は前記アダプタ内に延在する空洞の一部であり、前記第１のハウジング壁が前記アダプタ内に受け入れられると、前記レバーの前記段は、前記アダプタ内の前記孔又は前記アダプタ内に延在する前記空洞内に受け入れられるようになっている、請求項１に記載のコネクタアセンブリ。
【請求項７】
前記ハウジング装置は、ＳＣコネクタの一部を形成し、前記ハウジングは、溝を画定し、キャッチとして作用する突起を備え、前記第１のハウジング壁は、前記溝の一部を画定し、前記第１のアダプタ壁は、フランジの端を画定し、前記第１のハウジング壁が前記アダプタ内に受け入れられると、前記フランジの前記端は、前記ハウジングの前記溝内に受け入れられるようになっている、請求項１に記載のコネクタアセンブリ。
【請求項８】
前記アダプタは、ベースプレートを備え、前記センサは、前記ベースプレート上に取り付けられている、請求項１に記載のコネクタアセンブリ。
【請求項９】
前記センサは、前記ハウジング装置の前記後端に取り付けられており、前記アダプタは、ベースプレート及び前記ベースプレートから延在するポストを備え、前記センサが前記ハウジング装置の前記後端によって加えられた力を検出する時、前記センサは、前記ポストに当接している、請求項１に記載のコネクタアセンブリ。
【請求項１０】
前記センサは、力センサであり、前記アダプタの外側にあって露出するようになっている、請求項１に記載のコネクタアセンブリ。
【請求項１１】
前記ハウジング装置は、前記ハウジングの後端から延在する延長装置を更に備え、前記延長装置の後端は、前記ハウジング装置の前記後端を画定している、請求項１に記載のコネクタアセンブリ。
【請求項１２】
前記センサが前記ハウジング装置の前記後端によって加えられた力を検出する時、前記センサは、前記延長装置の前記後端と当接している、請求項１１に記載のコネクタアセンブリ。
【請求項１３】
第１のアダプタ壁を備えるアダプタと、
前記アダプタによって受入れ可能なハウジングを備え、孔を有するハウジング装置であって、前記ハウジング装置は、前端、前記前端と反対側の後端、及び第１のハウジング壁を更に備えて、前記第１のハウジング壁が前記アダプタ内に受け入れられ、前記第１のアダプタ壁の内側に位置する時、前記第１のアダプタ壁は、第１の方向を向いており、前記第１の方向と反対の第２の方向における前記第１のハウジング壁の移動が、前記第１のアダプタ壁によって制限されるようになっているハウジング装置と、
前記ハウジングの前記孔内に位置するフェルールであって、前記ハウジング装置の前記前端を超えて延在する対合端を有する、フェルールと、
前記ハウジング装置の前記後端又は前記ハウジング装置の前記後端と向うように前記アダプタに取り付けられたセンサであって、前記センサは、前記ハウジング装置の平行移動を検出するように構成され、前記センサの電気特性が変化し、これによって、前記ハウジング装置の所定位置への平行移動を示すようになっている、センサと、を備えるコネクタアセンブリ。
【請求項１４】
アダプタと、
前記アダプタによって受入れ可能なハウジングを備え、孔、前端、及び前記前端と反対側の後端を有するハウジング装置であって、前記ハウジングの前記孔は、前記ハウジング装置の前記後端において開口を画定している、ハウジング装置と、
前記ハウジングの前記孔内に位置するフェルールを備え、前記ハウジング装置の前記前端を超えて延在する対合端を有するフェルールアセンブリであって、前端及び前記前端と反対側の後端を有する、フェルールアセンブリと、
前記フェルールアセンブリの前記後端又は前記フェルールアセンブリの前記後端と向き合うように前記アダプタに取り付けられたセンサであって、前記センサは、プローブを備え、（ｉ）前記フェルールアセンブリの前記後端によって加えられた力及び（ｉｉ）前記フェルールアセンブリの平行移動のいずれか１つまたは両方を検出するように構成され、前記プローブは、前記フェルールアセンブリと真っ直ぐに並んでおり、前記センサが、前記フェルールアセンブリの前記後端によって加えられた力又は前記フェルールアセンブリの平行移動のそれぞれを検出する時、前記フェルールアセンブリは、前記プローブに接触している、センサと、を備え、
前記センサの電気特性が変化し、これによって、（ｉ）前記センサが前記フェルールアセンブリの前記後端に加えられた力を検出するように構成されている場合前記フェルールアセンブリによって加えられた所定の力又は（ｉｉ）前記センサが前記フェルールアセンブリの平行移動を検出するように構成されている場合前記フェルールアセンブリの所定位置への平行移動を示すようになっている、コネクタアセンブリ。
【請求項１５】
前記アダプタは、ベースプレートを備え、前記センサは、前記ベースプレート上に取り付けられている、請求項１４に記載のコネクタアセンブリ。
【請求項１６】
前記アダプタは、ベースプレート及び前記ベースプレートから延在するポストを備え、前記センサが前記フェルールアセンブリの前記後端によって加えられた力又は前記フェルールアセンブリの平行移動のそれぞれを検出する時、前記センサは、前記ポストと当接している、請求項１４に記載のコネクタアセンブリ。
【請求項１７】
前記フェルールアセンブリは、前記フェルールの後端から延在する延長装置を更に備え、前記延長装置の後端は、前記フェルールアセンブリの前記後端を画定している、請求項１４に記載のコネクタアセンブリ。
【請求項１８】
前記センサが、前記フェルールアセンブリの前記後端によって加えられた力又は前記フェルールアセンブリの平行移動のそれぞれを検出する時、前記センサは前記延長装置の前記後端に当接している、請求項１７に記載のコネクタアセンブリ。
【請求項１９】
前記延長装置は、内側延長体及び前記内側延長体に取り付けられた外側延長体を備え、前記内側延長体は、前記フェルールの前記後端に直接取り付けられ、前記外側延長体は、前記内側延長体から半径方向に延在し、前記センサの検出対象となる力は、前記外側延長体の後端によって加えられるようになっている、請求項１７に記載のコネクタアセンブリ。
【請求項２０】
前記プローブが、前記ハウジングの前記孔内に延在している、請求項１４に記載のコネクタアセンブリ。
【請求項２１】
前記センサが前記アダプタの外側にあって露出するようになっている、請求項１４に記載のコネクタアセンブリ。